(57)【要約】      （修正有）【課題】簡便に衣類や布団等の内容物の収納と取出しができ、押入れやクローゼット等の収納空間を整理整頓できる収納容器を提供する。【解決手段】平面展開状態から組み立てることで内部に収納空間が形成される容器本体１と、容器本体の全周に亘って設けられるファスナー部２と、を備え、容器本体は、主面３と、主面の両側に配置される２つの副面４と、主面と副面の間に設けられる折線５と、を有し、ファスナー部は、互いに噛み合う２つのエレメント２１、２２と、エレメント同士を接続するスライダーと、を有し、折線の一端部は、主面の頂点に配置され、折線の他端部は、主面の辺上に配置され、エレメントの２つの止部２１１、２２１は、折線の他端部に配置される。【選択図】図１
0003217495.tif 000002
【実用新案登録請求の範囲】
【請求項１】
平面展開状態から組み立てることで内部に収納空間が形成される容器本体と、
この容器本体の全周に亘って設けられるファスナー部と、を備え、
前記容器本体は、主面と、
この主面の両側に配置される２つの副面と、
前記主面と前記副面の間に設けられる折線と、を有し、
前記ファスナー部は、互いに噛み合う２つのエレメントと、
前記エレメント同士を接続するスライダーと、を有し、
前記折線の一端部は、前記主面の頂点に配置され、
前記折線の他端部は、前記主面の辺上に配置され、
前記エレメントの止部は、前記折線の他端部に配置されていることを特徴とする、収納容器。
【請求項２】
前記ファスナー部は、前記スライダーを２つ以上有していることを特徴とする、請求項１に記載の収納容器。
【請求項３】
前記容器本体は、平面展開状態において対称軸を有することを特徴とする、請求項１又は請求項２に記載の収納容器。
【請求項４】
前記副面は、矩形に形成されていることを特徴とする、請求項１〜３の何れかに記載の収納容器。
【請求項５】
前記容器本体は、前記副面の辺に沿って持ち手が設けられていることを特徴とする、請求項１〜４の何れかに記載の収納容器。
【請求項６】
前記主面は、開閉可能な窓部をさらに有し、
前記窓部は、少なくとも１辺が接続され、他辺に開閉機構が設けられていることを特徴とする、請求項１〜５の何れかに記載の収納容器。
【考案の詳細な説明】
【技術分野】
【０００１】
本考案は、布団や衣類等の収納物の簡便な収納と取出しを可能とする収納容器に関する。
【背景技術】
【０００２】
布団や衣類等は季節ごとに適したものを使用し、使わない時には押入れやクローゼット、箪笥等の収容空間に収納する。収納は季節毎など長期に及ぶことが多く、収納物にごみやほこり等が付着することを防ぐための様々なタイプの収納容器が利用されている。
【０００３】
布団や衣類等の収納物は嵩張る一方、押入れやクローゼット等の収容空間には限りがあるため、整理整頓し易い形状やそれ自体がコンパクトに保管できる収納容器が好まれる傾向にある。収納物をコンパクトに収納可能な収納容器として、内部の余分な空気を抜いて極力収納物を小さく収納し、保管することができる圧縮袋等が広く用いられている。しかしながら、圧縮袋は、圧縮の際に収納物を傷めたり、より効果的に圧縮するためには掃除機や専用の機器等により空気を抜いたりする手間がかかるなどの問題がある。
【０００４】
そこで、布団や衣類等の収納物を傷めず長期間収納可能である収納容器が提案されている。例えば、特許文献１には、簡便にフトンを丸めて収納できるフトン収納袋の技術が記載されている。特許文献１に記載の技術では、平面展開状態から略円柱状にスライドファスナーで係合することで包み込むようにフトンを収納することができる。
【先行技術文献】
【特許文献】
【０００５】
【特許文献１】実用新案登録第３１９９８２０号公報
【考案の概要】
【考案が解決しようとする課題】
【０００６】
特許文献１に記載のフトン収納袋は、平面展開可能であるため、不使用時にコンパクトに収納できるという利点を有する。
しかしながら、立体形状を形成するために円柱の側面部分と円柱の底面に当たる略円形の端面円周の合計３ヶ所にスライドファスナーが設けられており、それらすべてを閉じる手間がかかり、閉め忘れ等の事象が起こる可能性が考えられる。
【０００７】
また、３つのスライドファスナーがそれぞれ別体として取り付けられているため、柱体部分を形成するためのスライドファスナー部では、端辺同士を接続する必要がある。そのため、一方の端辺の端部に設けられている蝶棒を他方の端辺に設けられているスライダーに差込み、スライダーを動かすことで両辺が接続される（開ファスナー）が、フトンを丸めた状態を維持しながら両手で作業することが困難である等の問題が考えられる。
【０００８】
本考案は、以上のような点を考慮してなされたものであり、簡便に衣類や布団等の内容物の収納と取出しができる収納容器を提供することを課題とする。
【課題を解決するための手段】
【０００９】
前記課題を解決するため、本考案では以下の手段を採用した。
本考案に係る収納容器は、平面展開状態から組み立てることで内部に収納空間が形成される容器本体と、この容器本体の全周に亘って設けられるファスナー部と、を備え、前記容器本体は、主面と、この主面の両側に配置される２つの副面と、前記主面と前記副面の間に設けられる折線と、を有し、前記ファスナー部は、互いに噛み合う２つのエレメントと、前記エレメント同士を接続するスライダーと、を有し、前記折線の一端部は、前記主面の頂点に配置され、前記折線の他端部は、前記主面の辺上に配置され、前記エレメントの止部は、前記折線の他端部に配置されていることを特徴とする。
【００１０】
本考案に係る収納容器によれば、平面展開状態における容器本体の全周にファスナー部を設け、折線の一端部を主面の頂点に配置し、折線の他端部を主面の辺上に配置し、ファスナーの始点であり終点である止部を折線の他端部に配置する構成である。このような構成により、連続した一経路を辿るようにファスナーを開閉することで簡便に内容物の収納と取出しを行うことができる。
【００１１】
すなわち、本考案に係る収納容器は、立体形状を形成しながら内容物を収納することができる。このような構成であるため、四方から収納物を包み込むように収納することが可能であり、多少収納容器の形状よりも大きな収納物も収納可能である上、収納容器の形状に合わせて収納物を折りたたんだり、丸めたりした収納物の形状を維持する手間を省くことができる。
【００１２】
また、このように平面展開状態において容器本体の全周に渡ってファスナー部を設ける構成とすることにより、互いに噛み合うことで接続可能なエレメントを有する全ての辺を、一方の止部から他方の止部まで１つのスライダーのみで接続し、立体形状を形成することができる。このファスナー部により収納容器の立体形状形成と収納物の収納と取出しに関わる開閉を同じ動作で行うことができるとてもシンプルな構成となる。
さらに、このように主面と、副面と折線と止部との位置関係を限定することで副面を任意の形状にすることができるため、様々な柱体の収納容器を形成することができる。また収納容器を使わない際には容器本体を展開した状態から折りたたんでコンパクトに保管することができる。
【００１３】
本考案の好ましい形態では、前記ファスナー部は、前記スライダーを２つ以上有していることを特徴とする。
このように、スライダーを２つ有していることにより、両止部から自由に収納容器の立体形状形成及び開閉が可能となる。２方向からスライダーが操作可能になることにより、開閉方向を自由に選択することができる。
【００１４】
本考案の好ましい形態では、前記容器本体は、平面展開状態において対称軸を有することを特徴とする。
このように、平面展開時に対称軸を有することにより、立体形状を形成する際は、主面において、副面が接続されている面に内容物を置き、反対側の辺を収納物の上に重ねるようにして収納容器を閉じれば良く、スライダーによる収納容器の開閉も止部から止部まで連続した一経路を辿れば良いため簡便に収納物を収納することができる。
【００１５】
本考案の好ましい形態では、前記副面は、矩形に形成されていることを特徴とする。
このように、副面が矩形に形成されていることにより容器本体が立方体（直方体及び正六面体を含む）形状となる。容器本体が立方体に形成されることにより、収納容器を押入れやクローゼット等の収容空間に配置する際に生じるデッドスペースを軽減することができる。また、容器本体の何れの面も底面として使用できるため、収容空間の形状に合わせた配置が可能となり、より整頓された空間を作ることができる。
【００１６】
本考案の好ましい形態では、前記容器本体は、前記副面の辺に沿って持ち手が設けられていることを特徴とする。
このように、持ち手が辺に沿って配置されることにより外観がスッキリとし、別の収納容器や収納物と並べて収容空間に配置した際に持ち手部分が絡まってしまう等の事象を抑制することができる。また、持ち手を付けることにより、より重いものを収納することができる。
【００１７】
さらに、持ち手を中心よりも上方に設けることにより持ち運びにおける平行移動の動作が楽になり、下方に設けることにより上げ下ろし動作が楽になる。このように辺に沿って持ち手を配置することにより、収納容器の上下を入れ替えることで持ち手の上下を変えることが可能となるため、使用者は動作によって適した方法で持ち運ぶことができる。
【００１８】
本考案の好ましい形態では、前記主面は、開閉可能な窓部をさらに有し、前記窓部は、少なくとも１辺が接続され、他辺に開閉機構が設けられていることを特徴とする。
このように、窓部が設けられることにより開閉したい場所を選んで適宜開閉することが可能となり、より自由に収納物の収納と取出しを行うことができる。
【考案の効果】
【００１９】
本考案によれば、簡便に衣類や布団等の内容物の収納と取出しができ、押入れやクローゼット等の収容空間を整理整頓できる収納容器を提供することができる。
【図面の簡単な説明】
【００２０】
【図１】本考案の実施形態１に係る収納容器の展開図である。
【図２】本考案の実施形態１に係る収納容器の立体形状形成方法を示す説明図である。
【図３】本考案の実施形態１に係る収納容器の収納物の収納方法を示す説明図である。
【図４】本考案の実施形態２に係る収納容器の立体形状形成方法を示す説明図である。
【図５】本考案の実施形態２に係る収納容器の開閉方法を示す説明図である。
【図６】本考案の実施形態２に係る収納容器の収納物の収納方法を示す説明図である。
【図７】本考案の実施形態３に係る収納容器の展開図と一部開状態の斜視図である。
【考案を実施するための形態】
【００２１】
以下、本考案を図面に示した好ましい実施形態１、実施形態２及び実施形態３について図１〜図７を参照して説明する。本考案の技術的範囲は、添付図面に示した実施形態に限定されるものではなく、実用新案登録請求の範囲に記載された範囲内において、適宜変更が可能である。
【００２２】
＜実施形態１＞
図１は本実施形態に係る収納容器Ｃ１の展開図である。図２は本実施形態に係る収納容器Ｃ１の立体形状形成方法を示す説明図である。図３は本実施形態に係る収納容器Ｃ１の収納物の収納方法を示す説明図である。
【００２３】
本考案の実施形態１に係る収納容器Ｃ１は、平面展開状態から組み立てることで内部に収納空間Ｂが形成される容器本体１と、この容器本体１の全周に亘って設けられるファスナー部２とを備えている。
容器本体１は、主面３と、主面３の両側に配置される２つの副面４と、主面３と副面４の間に設けられる折線５とを有している。
また、ファスナー部２は、互いに噛み合う第１エレメント２１と第２エレメント２２と、エレメント同士を接続するスライダーａ２３と、を有している。さらに、第１エレメント２１と第２エレメント２２にはそれぞれ、エレメント同士の接続始点であり終点である止部ａ２１１、止部ｂ２２１とを有している。
【００２４】
収納空間Ｂに収納される収納物としては、本実施形態に示す布団Ｄや衣類Ｓ以外にも、枕等の寝具や靴下等の履物、マフラーやネクタイや鞄等の装身具、ぬいぐるみやソファカバー、カーテン、ラグ等の収納が可能である。
これらの収納物は季節毎に使用することが多く、収納時期が長期に亘ることも多くあるが、それらを使用している時期は収納容器Ｃ１自体が不要となるため、収納容器Ｃ１を保管しておく必要がある。そのような観点から平面展開可能な収納容器Ｃ１は、折りたたんでコンパクトに保管可能であることが利点であると考えられる。
【００２５】
本実施形態に係る容器本体１は略直方体形状であり、容器本体１の柱体部分を形成する主面３と、主面３の両側に配置され、柱体を閉じる部分となり、略長方形に形成された２つの副面４と、主面３と副面４の間に設けられ、略直角に折り曲げられる折線５とを有している。また、立体形成された容器本体１の開閉と展開を行う開閉辺ａ６、開閉辺ｂ７、開閉辺ｃ８、開閉辺ｄ９、開閉辺ｅ１０、開閉辺ｆ１１、開閉辺ｇ１２とを有している。
【００２６】
本実施形態に係るファスナー部２はスライドファスナーを採用しており、接続の始点であり終点である止部ａ２１１、止部ｂ２２１と、２辺を接続するスライダーａ２３とを有している。なお、本実施形態におけるスライドファスナーは止部ａ２１１、止部ｂ２２１が初めから接続された状態（止ファスナー）であるため、蝶棒を差し込んで２辺を繋ぐ（開ファスナー）工程は省略されている。本実施形態では、ビスロンファスナーである例を示したが、金属ファスナーや樹脂ファスナー、コイルファスナーなど様々な接続方法や材料を使用したファスナーを選択することができる。
【００２７】
本実施形態では、副面４が略長方形形状であり、容器本体１が略直方体に形成された例を示したが、使用者の用途やデザインコンセプトに合わせて副面４は略円形や略三角形等の任意の形状を選択することができる。また、表面には様々なデザインを施すこともできる。
ここで、主面３の形状は矩形に固定され、副面４と接続する辺の長さを、副面４の全ての辺の長さの合計と一致させる必要がある。なお、副面４が略長方形形状に形成されると容器本体１は直方体（正六面体を含む）に形成されるため、収納容器Ｃ１を仕舞うための収容空間を隅まで無駄なく使用でき、収納容器Ｃ１は並べたり、積み重ねたりして収容することができる。
【００２８】
本実施形態では、容器本体１が略直方体形状であるため、主面３は底面３１と背面３２と天面３３と前面３４とを有し、各面の間にそれぞれ折辺３５が設けられ、立体形状形成時に略直角に折り曲げられる。
副面４は、持ち手４１が折線５に対向する辺沿って設けられ、略長方形に形成されている。このように、持ち手４１が面の中央ではなく、辺に沿って配置されることにより、容器本体１の外観がスッキリとし、別の収納容器や収納物と並べて収容空間に配置した際に持ち手部分が絡まってしまったり、別の収納容器を取ってしまったりする等の事象を抑制することができる。持ち手４１を設けることにより、より重いものを持つことができる。
【００２９】
本実施形態では、持ち手４１が副面４のそれぞれに一か所ずつ設けられた例を示したが、持ち手４１の長さや個数は必要に応じて変更するこができる。例えば図１に示すように、折線５に対向する辺に沿って２つの持ち手４１を設けても良いし、折線５に沿って設けても良い。また、副面４に設ける持ち手４１は、必要であれば対象の位置になくても良いし、数が違っても良い。
このように、辺に沿って持ち手４１を配置することにより、使用者が収納容器Ｃ１を持って行う動作（平行移動や持ち上げ）に合わせて持ち手４１の位置を容器本体１の上側に来るようにしたり、下側に来るようにしたりと適宜選択して使用することができ、より簡便に持ち運びが可能となる。
【００３０】
本実施形態では、折辺３５と折線５を除く辺に、ファスナー部２において互いに噛み合うことで接続される２つのエレメントである、第１エレメント２１と第２エレメント２２が配置されている。
第１エレメント２１は、一端の止部ａ２１１と、背面エレメントａ２１２、背面エレメントｂ２１３、天面エレメントａ２１４、天面エレメントｂ２１５、前面エレメントａ２１６、前面エレメントｂ２１７、前面エレメントｃ２１８が設けられている。また、第２エレメント２２は、他端の止部ｂ２２１と、副面エレメントａ２２２、副面エレメントｂ２２３、副面エレメントｃ２２４、副面エレメントｄ２２５、副面エレメントｅ２２６、副面エレメントｆ２２７と底面エレメント２２８とが設けられている。
【００３１】
エレメント同士の接続始点であり、終点である一方の止部ａ２１１は、副面エレメントｂ２２３と背面エレメントａ２１２が直角に交わる部分となる折線５の端部に配置され、他方の止部ｂ２２１は、副面エレメントｄ２２５と背面エレメントｂ２１３が直角に交わる部分となる折線５の端部に配置される。
【００３２】
本実施形態に係る収納容器Ｃ１は、図１の展開図に示すように、平面展開状態では真ん中に対称軸Ｘを有する線対称形である。このような構成にすることにより、副面の位置を対象位置に限定することができ、容器本体１の立体形状形成や開閉も、スライダーａ２３を止部ａ２１１から止部ｂ２２１までの連続した一経路を移動させれば良いため簡便に収納物を収納し、取り出すことができる。図２は、本考案の実施形態１に係る収納容器Ｃ１の立体形状形成方法を示す説明図である。
【００３３】
図２（ａ）は、止部ａ２１１にスライダーａ２３が配置された状態から、副面エレメントｂ２２３と背面エレメントａ２１２をスライダーａ２３によって接続し、開閉辺ａ６を形成している様子を示した図である。この状態では、まだ完全な容器形状は形成されていないが、略直角に折り曲げられた一方の副面４と背面３２が壁となり、収納物の形を形成する目安となり得る。
【００３４】
図２（ｂ）は、図２（ａ）の状態から、スライダーａ２３が角を曲がり副面エレメントｃ２２４と天面エレメントａ２１４を接続し、開閉辺ｂ７を形成している様子を示した図である。この状態では、ほとんど立体形状が完成しているが、まだ前面３４が開いている状態であるため収納物の形状の調整が可能となる。例えば、少し嵩の大きいものを収納する際に、図２（ｂ）の状態になると、背面３２、略直角に折り曲げられた一方の副面４と天面３３で押された収納物が展開状態にある前面３４と他方の副面４からはみ出ることが考えられるが、前面３４が大きく開いているため、収納物の形状や位置を調整することができる。
【００３５】
図２（ｃ）は、図２（ｂ）の状態から、前面３４を閉じるため、副面エレメントａ２２２と前面エレメントａ２１６を接続し、そのまま底面エレメント２２８と前面エレメントｃ２１８を接続して、開閉辺ｃ８、開閉辺ｄ９を形成している様子を示した図である。ここまでくると、内容物は、５面から包み込まれた状態となるため、たとえ形状の維持が難しく、どんどんと元の形状に戻ろうとする収納物であっても自立が可能となる。
【００３６】
図２（ｄ）は、図２（ｃ）の状態から、最後の面である副面４を閉じるため、残りの開閉辺ｅ１０、開閉辺ｆ１１、開閉辺ｇ１２を形成している様子を示した図である。最後に、残った副面４を閉じることで容器本体１の立体形状が形成される。つまり、開閉辺ｅ１０は副面エレメントｅ２２６と前面エレメントｂ２１７が接続し、開閉辺ｆ１１は副面エレメントｆ２２７と天面エレメントｂ２１５が接続し、開閉辺ｇ１２は副面エレメントｄ２２５と背面エレメントｂ２１３が接続して形成される。
このような構成（止部ａ２１１や止部ｂ２２１等の第１エレメント２１と第２エレメント２２の構成要素の配置）にすることにより、１つのスライダーａ２３のみで、容器本体１の立体形状形成と容器本体１の収納物の収納と取出しに伴う開閉動作を行うことができる。
【００３７】
なお、本実施形態では、スライダーａ２３が止部ａ２１１から止部ｂ２２１に向かうように配置されているが、逆に止部ｂ２２１から止部ａ２１１に向かうように配置しても良い。このような構成にする場合は、図２の立体形状形成過程が全て逆からとなる。
【００３８】
図３は、本考案の実施形態１に係る収納容器Ｃ１の収納物の収納方法を示す説明図である。ここでは、収納物の一例として布団Ｄを示し、収納容器Ｃ１へ収納する様子を示している。布団Ｄは折りたたまれた状態で底面３１に置かれ、図２に閉めした立体形状形成方法に基づいてファスナー部２を接続していく。
【００３９】
布団Ｄのように弾力性があり、折りたたんだり丸めたりした際に、元の形状に戻ろうとする復元力を有する収納物は、図３に示すように、底面３１に近い形状に形成してから底面３１の上に置き、止部ａ２１１からスライダーａ２３によって、開閉辺ａ６〜開閉辺ｇ１２を順番に形成してくことで、布団Ｄを収納することができる。最初の畳んだままの状態の布団Ｄは、立体を順に形成し、途中で布団Ｄの形状を整えていくことにより、容器本体１の隅々まで布団Ｄを広げ、無駄なく収納することができる。
【００４０】
立体形状が徐々にできる構成にすることで、少し容器本体１よりも大きい収納物であっても途中で形状を微調整することが可能となり、きちんと収納できる点が利点であると考えられる。このように、収納物の調整が途中でも可能であるため、最初に収納物の形を形成する工程は、サイズにピッタリと合わせて畳む必要はなく、底面にしたい面（ここでは底面３１）に沿った適当な形状であれば良い。
【００４１】
図３には、布団Ｄを例として収納方法を示したが、収納物は布団Ｄに限らず、後述する衣類Ｓ等やその他の収納物でも良く、一度畳んだ形状をきちんと保持することができる衣類Ｓ等を収納する際は、ファスナー部２がスライダーａ２３のみで簡単に開閉することができるため、簡便に収納と取出しをすることができる。
【００４２】
以上のように、本考案によれば容器本体１は、全周に亘って設けられる容器本体１の２つの辺を接続可能なファスナー部２により開閉辺ａ６〜開閉辺ｇ１２を順に形成することにより、平面展開状態から組み立てることで内部に収納空間Ｂを有する収納容器Ｃ１を形成することができる。このように、収納容器Ｃ１は完全に平面展開することが可能であるため、容器として使用しない時は折りたたんでコンパクトに保管しておくことができる。
【００４３】
また、平面展開時では、対称軸Ｘを有し、容器本体１を構成する矩形に形成された主面３の両側に２つの副面４配置し、折線５を主面３と副面４の間に設け、折線５の一旦部を主面３の頂点に、他端部を主面３の辺上に配置し、接続の始点であり終点である止部ａ２１１、止部ｂ２２１に設けることにより、容器本体１は一方の止部ａ２１１から他方の止部ｂ２２１まで連続した一経路を辿ることで立体形状を形成することができる。つまり、このような構成にすることで複数の不連続のファスナーを備える複雑な構成を回避することができる。そして、収納物を周囲から包み込むように簡便に収納物を収納と取出しをすることができる。
【００４４】
特に本考案では、展開状態から立体形状を徐々に形成することができるため、少し容器本体１よりも大きい収納物であっても途中で形状を微調整することで、きちんと収納することができる。このように収納物の調整が途中でも可能であるため、最初に収納物の形を形成する工程は、サイズにピッタリと合わせて畳む必要はなく、底面としたい面に沿った適当な形状にすることができる。
【００４５】
＜実施形態２＞
以下、本考案の実施形態２に係る収納容器Ｃ２にについて、図４〜図６を参照して詳細に説明する。この実施形態２に係る収納容器Ｃ２は、先の実施形態１に係る収納容器Ｃ１とは異なり２つのスライダーａ２３、スライダーｂ２４を有していることを特徴とする。なお、同実施形態において、先の実施形態１と基本的に同一の構成要素については、同一の符号を付してその説明を簡略化する。
【００４６】
図４は、本実施形態に係る収納容器Ｃ２の立体形状形成方法を示す説明図であり、図５は本実施形態に係る収納容器Ｃ２の開閉方法を示す説明図である。図６は本実施形態に係る収納容器Ｃ２の収納物の収納方法を示す説明図である。
この実施形態２に係る収納容器Ｃ２は、実施形態１と同様に、平面展開状態からエレメント同士を接続していくことで内部に収納空間Ｂが形成される容器本体１と、この容器本体１の全周に亘って設けられるファスナー部２とを備えている。
【００４７】
また、ファスナー部２は、止部ａ２１１から接続を開始するスライダーａ２３に加えて、止部ｂ２２１から接続を開始するスライダーｂ２４をさらに備えている。この構成を採用することにより、収納容器Ｃ２は止部ａ２１１、止部ｂ２２１から接続を開始し、ある地点でスライダーａ２３とスライダーｂ２４が互いに向かい合う（頭合わせファスナー）こととなる。
【００４８】
図４は、スライダーａ２３を各止部ａ２１１、スライダーｂ２４を止部ｂ２２１から移動させて立体形状を形成している様子を示している。このような形式をとることにより、立体形状を形成する際には、完全な展開状態から実施形態１のように接続をしながら収納物を収納しても良いし、図４に示すように、途中まで立体形状を形成してから収納物を収納することもできる。
またこれは、立体形状形成過程のみならず、容器本体１の前面３４と天面３３を開けた状態でもある。スライダーｂ２４をさらに有する構成にすることにより、立体形状形成過程または開閉過程において、スライダーａ２３、スライダーｂ２４の動かすタイミングや位置を調整することにより、任意の部分から開閉したり、立体形状を形成したりすることができる。
【００４９】
図５は本実施形態に係る収納容器Ｃ２の開閉方法を示す説明図である。図５（ａ）は、スライダーａ２３を止部ａ２１１に配置し、スライダーｂ２４を開閉辺ｃ８と開閉辺ｄ９が接する頂点に配置して止部ａ２１１側の副面４のみを開けた状態を示している。また、図５（ｂ）は、スライダーａ２３を開閉辺ｃ８と開閉辺ｃ８が接する頂点に配置し、スライダーｂ２４を開閉辺ｅ１０と開閉辺ｆ１１が接する頂点に配置して前面３４のみを開けた状態を示している。
【００５０】
このように、実施形態２では、実施形態１の時とは異なり、２つの副面４、前面３４の任意の面のみを開閉することができる。また、図４に示すように、前面３４と天面３３を同時に開くことも可能である。
【００５１】
本実施形態のように任意の面から開閉し、収納物を取り出すことが可能であれば、押入れやクローゼット等の収容空間に収納容器Ｃ２を積み重ねたり、並べたりして複数個収納した場合や、収納容器Ｃ２の上や近隣に別の容器を配置した場合でも、それらを移動せずに手前にある面を開閉して収納物の出し入れができる。
【００５２】
図６は、本実施形態に係る収納容器Ｃ２の収納物の収納方法を示す説明図である。図６では、衣類Ｓを収納物の例として示している。また、収納物は衣類Ｓに限らず、実施形態１と同様に布団Ｄ等や他の任意の収納物を収納することができる。
【００５３】
収納容器Ｃ２の大きさにもよるが、図６では例としてＴシャツ等を積み重ねた集合体を６つ並べて配置している。このように、衣類Ｓを重ねて置く場合には、図６に示す実施形態２のように副面エレメントｂ２２３と背面エレメントａ２１２を接続して開閉辺ａ６を形成し、副面エレメントｄ２２５と背面エレメントｂ２１３を接続して開閉辺ｇ１２を形成することで２つの副面４と背面３２を立てた状態にすることにより衣類Ｓが配置中に等に崩れることを防ぐことができる。ここでは、前面３４が展開状態であるため、衣類Ｓを積み重ねた集合体を大きく持ち上げる必要がなく、簡便に収納することできる。
【００５４】
このように、衣類Ｓを重ねた集合体を並べて収納する際に、衣類Ｓの集合体の間にこれらが倒れることを防ぐ仕切りをさらに設けることができる。仕切りを設けることにより、例えば衣類Ｓ等の収納物を複数並べて収納容器に収納する際に、きちんと整頓した収納物が無秩序な状態になってしまったり、収納容器を運ぶ際に収納物の形状が崩れてしまったりすることを抑制することができる。仕切りは、形状や設置、固定方法等は自由に選択することが可能であり、長方形形状の仕切りをファスナーや面ファスナー、磁石等で固定することが考えられる。
【００５５】
以上より、実施形態２によれば、スライダーａ２３が止部ａ２１１、スライダーｂ２４が止部ｂ２２１から接続を開始することができるため、立体形状の形成がより簡単にできる。実施形態１とは異なり、収納物を入れる前に収納空間Ｂを作ることも可能となるため、多様な形状から用途に応じて適した形状を選択して収納することできる。
さらに、２つの副面４及び前面３４は、任意の面を選択しその面のみを開閉することができる。このように、ある面を特定して開閉可能になることで、収容空間に収納容器Ｃ２を配置した際にも、収納容器Ｃ２を動かさずとも収納物を収納し、取り出すこともできる。
【００５６】
＜実施形態３＞
以下、本考案の実施形態３に係る収納容器Ｃ３について、図７を参照して詳細に説明する。この実施形態３に係る収納容器Ｃ３は、先の実施形態１、実施形態２に係る収納容器Ｃ１、Ｃ２とは異なり、主面３に窓部３６が設けられていることを特徴とする。なお、同実施形態において、先の実施形態１、実施形態２と基本的に同一の構成要素については、同一の符号を付してその説明を簡略化する。
【００５７】
図７は、本実施形態に係る収納容器Ｃ３の展開図と一部開状態の斜視図である。
この実施形態３に係る収納容器Ｃ３は、実施形態１、実施形態２と同様に、平面展開状態から立体形状が形成される容器本体１と、この容器本体１の全周に亘って設けられるファスナー部２とを備えている。容器本体１も同様に、主面３と、主面３の両側に配置された２つの副面４と、主面３と副面４の間に設けられ、略直角に折り曲げられる折線５とを有している。
【００５８】
さらに、本実施形態では主面３に窓部３６が設けられた例を示している。窓部３６は少なくとも１辺が主面３に接続され、残りの辺が開閉可能に取り付けられている。本実施形態では、窓部３６を開閉して中に入っている収納部の取出しが可能となることを想定し、１辺が底面３１と背面３２の間に配置された折辺３５に一致し、残りの３辺が開閉可能に接続された略長方形形状の窓部３６を背面３２に一つ設けた例を示したが、この窓部３６を配置する際の形状や数、配置の目的は任意で良い。また、開閉手段もファスナーや面ファスナー等任意なものから選択して良い。
【００５９】
例えば、密閉状態となる収納容器Ｃ１の空気の入れ替えを目的とした小さな窓部３６を複数個設けても良いし、窓部３６を配置することにより単独で開閉することが可能となる背面３２や天面３３に設けても良い。
また、実施形態１の構成では、開閉は一連の経路を順に辿る必要があり、任意の面を選択して開閉する構造ではないが、図７に示す例として示した主面３に設けた窓部３６を活用することにより、様々な面から収納物の収納と取出しが可能となる。
【００６０】
さらに、この窓部３６を活用することで、実施形態２で自由に開閉可能となった２つの副面４と前面３４に限らず任意の面を選択して、その面のみを開閉することができる。例えば、窓部３６を図７に示す位置に配置すれば、背面３２を開閉可能となり、同様に天面３３に窓部３６を同形式で配置することで、天面３３のみを開閉することも可能となる。
【００６１】
以上より、実施形態３によれば、主面３に窓部３６を設けることにより、開閉面を増やすことが可能となり、さらなる利便性が追及できると考えられる。また、窓部３６の用途は開閉のみならず空気穴等としても活用することができるし、例えば窓部３６のみ透明の素材を使用することで、中身を確認する小窓としても活用することができる。
【符号の説明】
【００６２】
Ｃ１、Ｃ２、Ｃ３    収納容器
Ｄ                  布団
Ｓ                  衣類
Ｂ                  収納空間
Ｘ                  対称軸
１                  容器本体
２                  ファスナー部
３                  主面
４                  副面
５                  折線
６                  開閉辺ａ
７                  開閉辺ｂ
８                  開閉辺ｃ
９                  開閉辺ｄ
１０                開閉辺ｅ
１１                開閉辺ｆ
１２                開閉辺ｇ
２１                第１エレメント
２２                第２エレメント
２３                スライダーａ
２４                スライダーｂ
３１                底面
３２                背面  
３３                天面
３４                前面
３５                折辺
３６                窓部
４１                持ち手
２１１              止部ａ
２１２              背面エレメントａ
２１３              背面エレメントｂ
２１４              天面エレメントａ
２１５              天面エレメントｂ
２１６              前面エレメントａ
２１７              前面エレメントｂ
２１８              前面エレメントｃ
２２１              止部ｂ
２２２              副面エレメントａ
２２３              副面エレメントｂ
２２４              副面エレメントｃ
２２５              副面エレメントｄ
２２６              副面エレメントｅ
２２７              副面エレメントｆ
２２８              底面エレメント
【図１】
0003217495.tif 000003
【図２】
0003217495.tif 000004
【図３】
0003217495.tif 000005
【図４】
0003217495.tif 000006
【図５】
0003217495.tif 000007
【図６】
0003217495.tif 000008
【図７】
0003217495.tif 000009